(57)【特許請求の範囲】
【請求項１】
土台の上に１階床パネルを載せ、該床パネルと土台にわたり設けたドリフトピン穴にドリフトピンを打ち込んで連結するとともに、１階床パネルの上に１階壁パネルを載せ、該壁パネルと床パネルにわたり設けたドリフトピン穴にドリフトピンを打ち込んで連結し、さらに１階壁パネルの上に２階床パネルを載せ、該床パネルと壁パネルにわたり設けたドリフトピン穴にドリフトピンを打ち込んで連結するとともに、２階床パネルの上に２階壁パネルを載せ、該壁パネルと床パネルにわたり設けたドリフトピン穴にドリフトピン打ち込んで連結し、必要に応じてこれら床パネルと壁パネルの載置と連結を繰り返した後、最上階の壁パネルの上に桁を載せ、該桁と壁パネルにわたり設けたドリフトピン穴にドリフトピンを打ち込んで連結し、屋根のある棟まで建て上げることを特徴とする木質系建物の建築工法。
【請求項２】
請求項１に記載の木質系建物の建築工法において、棟まで建て上げた後、縦方向に隣接する壁パネルと床パネル間、壁パネルと桁間、横方向に隣接する壁パネル同士、床パネル同士、をそれぞれ釘打ちすることを特徴とする木質系建物の建築工法。
【請求項３】
請求項１又は２に記載の木質系建物の建築工法において、土台、１階床パネル、１階壁パネル、２階床パネル、２階壁パネル、必要とする数の床パネルと壁パネル、及び桁に設けられるドリフトピン穴は予め工場で加工されることを特徴とする木質系建物の建築工法。
【請求項４】
請求項１ないし３のいずれかに記載の木質系建物の建築工法において、１階床パネルの端部を土台の上面中間部に位置するように載せることにより、その外側に第１凹所を形成するとともに、該凹所を埋めるように第１埋入部材を取り外し可能に嵌入することを特徴とする木質系建物の建築工法。
【請求項５】
請求項４に記載の木質系建物の建築工法において、２階床パネルの端部を１階壁パネルの上面中間部に位置するように載せることにより、その外側に第２凹所を形成するとともに、該凹所を埋めるように第２埋入部材を取り外し可能に嵌入することを特徴とする木質系建物の建築工法。
【請求項６】
請求項４又は５に記載の木質系建物の建築工法において、第１及び第２埋入部材がそれぞれ通気路を有し、第１埋入部材の通気路によって縦方向に隣接する土台と１階壁パネルにそれぞれ設けた通気路を連通可能とし、第２埋入部材の通気路によって第１壁パネルと２階壁パネルにそれぞれ設けた通気路を連通可能にしていることを特徴とする木質系建物の建築工法。
【発明の詳細な説明】
【技術分野】
【０００１】
この発明は、木質系建物の建築工法に関し、さらに詳しくは木造軸組工法、木質プレハブ工法、枠組壁工法、パネル工法などにより建築される木質系建物の建築に際し、土台、壁パネルや床パネル等の連結作業を簡単に行えて、棟上までのスピーディー化、工期の短縮化を図ることができる技術に係るものである。
【背景技術】
【０００２】
従来、木質系建物の建築に際し、例えば土台と床パネル、あるいは床パネルと壁パネルの連結を行うには、ボルトナットによりこれら部材同士を締結し、あるいは釘などの締結具で締結して、順次、土台から上を建て上げていく工法がとられていた（例えば、特許文献１，２参照）。
【特許文献１】特開平８−１６５７２５号公報
【特許文献２】特開２００４−２３２２０９号公報
【０００３】
すなわち、特許文献１は、いわゆるパネル工法により組み立てられる複数階の建屋における壁パネルの組み付け構造に係り、所定位置に立設された１階壁パネル上に、胴差の側面と床パネルの外面を当接させて敷き込み、しかる後に１階壁パネルの連通孔内にボルトを胴差側から差し込み、下側ねじ部をナット付き座金のナットに螺合させて１階壁パネルと床パネルとを連結し、次に２階壁パネルを、胴差上面より突出するボルトを連通孔内に挿通させて、１階壁パネル及び床パネルの上面にわたって載置し、１階壁パネル上に２階壁パネルを載置させた状態で、連通孔と連通孔は互いに連通し、面材に設けられた開口部を利用して、ボルトの上側ねじ部に座金を介してナットを螺合させて、１階壁パネルと２階壁パネルとを床パネルを介して連結するものである（段落００３０，００３１、図１，２参照）。
【０００４】
特許文献２は、パネル工法による建物の壁パネルと床パネルの接合構造に係り、所定位置に建て込んだ１階壁パネル上に２階床パネルの端部を載せ、該端部の前方に形成される隙間に胴差を配置し、床パネルに釘等で固定し、床パネルを壁パネルに固定した後、その胴差と床パネル上に２階の壁パネルを建て込み、床パネルに固定するものである（段落００２０，０００３、図１，４参照）。
【発明の開示】
【発明が解決しようとする課題】
【０００５】
しかしながら、特許文献１，２のような建物の建て方の場合、ボルトナットを用いて部材同士を連結し、あるいは釘と多くの金物を用いて部材同士を固定しながら建て上げるため、棟上までの作業量が膨大となり、作業に多くの日数を要するものとなっていた。そのため、屋根を載せるまでの工期がかかり、途中で雨が降った場合、養生が十分にできないという問題点があった。
【０００６】
そこでこの発明は、前記従来のものが有する問題点を解決し、棟上までをスピーディーに行えて、工期の短縮化を図ることができる木質系建物の建築工法を提供することを目的とする。
【課題を解決するための手段】
【０００７】
前記目的を達成するため、請求項１に記載の発明は、土台の上に１階床パネルを載せ、該床パネルと土台にわたり設けたドリフトピン穴にドリフトピンを打ち込んで連結するとともに、１階床パネルの上に１階壁パネルを載せ、該壁パネルと床パネルにわたり設けたドリフトピン穴にドリフトピンを打ち込んで連結し、さらに１階壁パネルの上に２階床パネルを載せ、該床パネルと壁パネルにわたり設けたドリフトピン穴にドリフトピンを打ち込んで連結するとともに、２階床パネルの上に２階壁パネルを載せ、該壁パネルと床パネルにわたり設けたドリフトピン穴にドリフトピン打ち込んで連結し、必要に応じてこれら床パネルと壁パネルの載置と連結を繰り返した後、最上階の壁パネルの上に桁を載せ、該桁と壁パネルにわたり設けたドリフトピン穴にドリフトピンを打ち込んで連結し、屋根のある棟まで建て上げることを特徴とする。
【０００８】
請求項２に記載の発明は、請求項１に記載の木質系建物の建築工法において、棟まで建て上げた後、縦方向に隣接する壁パネルと床パネル間、壁パネルと桁間、横方向に隣接する壁パネル同士、床パネル同士、をそれぞれ釘打ちすることを特徴とする。請求項３に記載の発明は、請求項１又は２に記載の木質系建物の建築工法において、土台、１階床パネル、１階壁パネル、２階床パネル、２階壁パネル、必要とする数の床パネルと壁パネル、及び桁に設けられるドリフトピン穴は予め工場で加工されることを特徴とする。
【０００９】
請求項４に記載の発明は、請求項１ないし３のいずれかに記載の木質系建物の建築工法において、１階床パネルの端部を土台の上面中間部に位置するように載せることにより、その外側に第１凹所を形成するとともに、該凹所を埋めるように第１埋入部材を取り外し可能に嵌入することを特徴とする。請求項５に記載の発明は、請求項４に記載の木質系建物の建築工法において、２階床パネルの端部を１階壁パネルの上面中間部に位置するように載せることにより、その外側に第２凹所を形成するとともに、該凹所を埋めるように第２埋入部材を取り外し可能に嵌入することを特徴とする。請求項６に記載の発明は、請求項４又は５に記載の木質系建物の建築工法において、第１及び第２埋入部材がそれぞれ通気路を有し、第１埋入部材の通気路によって縦方向に隣接する土台と１階壁パネルにそれぞれ設けた通気路を連通可能とし、第２埋入部材の通気路によって第１壁パネルと２階壁パネルにそれぞれ設けた通気路を連通可能にしていることを特徴とする。
【発明の効果】
【００１０】
この発明は前記のように、土台の上に１階床パネルを載せ、該床パネルと土台にわたり設けたドリフトピン穴にドリフトピンを打ち込んで連結するとともに、１階床パネルの上に１階壁パネルを載せ、該壁パネルと床パネルにわたり設けたドリフトピン穴にドリフトピンを打ち込んで連結し、さらに１階壁パネルの上に２階床パネルを載せ、該床パネルと壁パネルにわたり設けたドリフトピン穴にドリフトピンを打ち込んで連結するとともに、２階床パネルの上に２階壁パネルを載せ、該壁パネルと床パネルにわたり設けたドリフトピン穴にドリフトピンを打ち込んで連結し、必要に応じてこれら床パネルと壁パネルの載置と連結を繰り返した後、最上階の壁パネルの上に桁を載せ、該桁と壁パネルにわたり設けたドリフトピン穴にドリフトピンを打ち込んで連結し、屋根のある棟まで建て上げるので、少ない作業量、少ない日数でスピーディーに棟上まで行うことが可能となる。すなわち、ドリフトピンを仮止めに使用しながら淡々と野地施工まで組立を進行することができ、工期の短縮化を図ることができる。そのため、従来のように雨による養生のための日数をとる必要も少なくて済む。しかも、施工に用いるものはドリフトピン穴に打ち込むドリフトピンだけであり、コストを従来に比べて安価に抑えることができるという優れた効果が期待できる。
【発明を実施するための最良の形態】
【００１１】
この発明の一実施の形態を、添付図面を参照して説明する。
【００１２】
図１は、基礎上から桁までの壁に沿った木質系建物の一部分を示す概略正面図、図２は、図１のＡ−Ａ線に沿う高さ方向の長さを一部省略した拡大縦断側面図である。また、図３は、図１のＢ部の拡大概略斜視図であり、図４は、図１のＣ部の拡大概略斜視図であり、図５は、図１のＤ部の拡大概略斜視図である。ここに示すような建物を構築するには、まず、基礎１上に加圧注入処理材からなり、通常の土台の半分程度の高さに形成された土台２をその間に換気パッキン３を介在させて載置する。換気パッキン３には外気が床下に流入可能な通気溝４と、床下から土台２の壁側に設けた後述する通気路と連通する通気溝５が設けられている。次に、土台２上に１階床パネル６を、該床パネルの端部（面材６ａとともに床パネル６を構成する桟６ｂのある部分）が土台２の上面中間部に位置するように載せるとともに、該端部の桟６ｂと土台２にわたり設けたドリフトピン穴７にドリフトピン８を打ち込んで連結する。ドリフトピン８は以下に説明するドリフトピンもそうであるが仮止め用のピンで、鋼材からなる接合具の一種である。
【００１３】
土台２と１階床パネル６を連結すると、その外側に凹所９が形成されるので、該凹所を埋めるように凹所９の形状に合わせて製作した第１埋入部材としての床側部材１０を取り外し可能に嵌入する。床側部材１０の凹所９への嵌入後、床側部材１０と１階床パネル６の端部上に１階壁パネル１２を載せるとともに、該壁パネルの下桟１２ｂと床側部材１０及び床パネル６の桟６ｂにわたり設けたドリフトピン穴１３，１４にドリフトピン１５，１６をパネル内部側から打ち込んで連結する。１７は床側部材１０の前面に貼り付けられた面材、１２ａは１階壁パネル１２を構成する面材であり、１２ｃは１階壁パネル１２を構成する中桟である。なお、図２ではドリフトピン１６とドリフトピン８が干渉しているように見えるが、実際は、該図で前後方向に位置がずれていて干渉はしていない。
【００１４】
次に、１階壁パネル１２の上に２階床パネル１８を、該床パネルの端部が１階壁パネル１２の上面中間部に位置するように載せるとともに、端部の桟１８ｂと１階壁パネル１２の上桟１２ｂにわたり設けたドリフトピン穴１９にドリフトピン２０をパネル内部側から打ち込んで連結する。
【００１５】
１階壁パネル１２と２階床パネル１８を連結すると、その外側に凹所２１が形成されるので、該凹所を埋めるように凹所２１の形状に合わせて製作した第２埋入部材としての胴差側部材２２を取り外し可能に嵌入する。胴差側部材２２の凹所２１への嵌入後、胴差側部材２２と１階壁パネル１２の上桟１２ｂにわたり設けたドリフトピン穴２３にドリフトピン２４をパネル内部側から打ち込んで連結する。次に、胴差側部材２２と２階床パネル１８の端部上に２階壁パネル２６を載せるとともに、該壁パネルの下桟２６ｂと胴差側部材２２及び床パネル１８桟１８ｂにわたり設けたドリフトピン穴２７，２８にドリフトピン２９，３０をパネル内部側から打ち込んで連結する。３１は胴差側部材２２の前面に貼り付けられた面材、２６ａは２階壁パネル２６を構成する面材であり、２６ｃは２階壁パネル２６を構成する中桟である。
【００１６】
次に、２階壁パネル２６の上桟２６ｂの上に換気頭つなぎとしての桁３２を載せるとともに、桁３２と２階壁パネル２６の上桟２６ｂにわたり設けたドリフトピン穴３３にドリフトピン３４をパネル内部側から打ち込んで連結する。前記においては、壁パネル１２，２６等の連結について縦方向の連結についてのみ説明したが、必要により横方向も同時に連結して、同時進行的に建て上げてもよいことは勿論である。その場合、横方向の壁パネルの連結は４，５連程度が好ましい。また、この連結に際しては、予め平面状態の壁パネルを４，５連程度連結して一体化した壁パネル体を一挙に立ち上げて載置するようにしてもよい。このようにして壁パネルからなる壁を全周囲にわたり立ち上げ、隣接する互いの壁パネルの出隅部、入隅部に図示しない補助材等による処理した後、桁３２の上に棟木、垂木等を組上げて屋根（図示せず）を載せると棟まで建て上がることになる。このように建て上がった建物は、釘打ち等の最終的な工事前の状態ではあるが、せん断力はドリフトピンを含んだものとなるため、安定した強度を保つことができる。
【００１７】
ここまではドリフトピンによる仮止めだけであり、釘を一切使用しない。そして、この仮止め用のドリフトピンによる棟上後、１階壁パネル１２と床パネル６、１階壁パネル１２同士、２階壁パネル２６同士、２階壁パネル２６と桁３２、等に、図１に一部示すようにドリフトピン７６，７７や釘７８，７９を打って連結するとともに、図示していないが内装工事としてパネル内部の面材と反対側に断熱材を面材側に通気空間を形成して配置し、この断熱材を覆うように内装下地材を貼り付ける等を行うと、建物が完成することになる。
【００１８】
前記の施工においては、土台２、床パネル６，１８、壁パネル１２，２６、床側部材１０、胴差側部材２２、及び桁３２に設けたドリフトピン穴７，１３，１４，１９，２３，２７，２８，３３は現場で加工するのではなく、予め工場で加工してある。したがって、現場作業は土台２をはじめとする各部材を適正位置に載せて配置した後に、各部材を仮止め用のドリフトピン８，１５，１６，２０，２４，２９，３０，３４を打ち込んで連結していくだけでよいので、作業性のよいものとなり、従来の工法に比べてきわめてスピーディーに棟上まで建て上げることができる。そのため、従来のように作業日数が多くかかることがなく、屋根を載せるまでの工期を大幅に短縮することが可能となり、雨による養生のための日数をとる必要も少なくて済む。棟上までの作業は、通常に比べ４５％の省施工となり、大幅な短縮が可能である。
【００１９】
前記において、土台２の壁側には換気パッキン３の通気溝５と連通する通気路３６が水平方向を向いて設けられ、該通気路と連通する通気路３７が垂直方向を向いて設けられている。両通気路３６，３７の外側（前面側）は開放されているが、これは仕上げ工事に防水紙等が貼られて塞がれる。また、床側部材１０の面材１７側には土台２の通気路３７と連通する通気路３８が水平方向を向いて設けられ、該通気路と連通する通気路３９が垂直方向を向いて設けられ、かつ該通気路と連通する通気路４０が水平方向を向いて設けられている。また、１階壁パネル１２の下桟１２ｂの面材１２ａ側には床側部材１０の通気路４０とパネル内部とを連通する通気路４１が垂直方向を向いて設けられているとともに、上桟１２ｂの面材１２ａ側にも同様な通気路４３が垂直方向を向いて設けられている。
【００２０】
また、胴差側部材２２の面材３１側には１階壁パネル１２の通気路４３と連通する通気路４５が水平方向を向いて設けられ、該通気路と連通する通気路４６が垂直方向を向いて設けられ、かつ該通気路と連通する通気路４７が水平方向を向いて設けられている。また、２階壁パネル２６の下桟２６ｂの面材２６ａ側には胴差側部材２２の通気路４７とパネル内部とを連通する通気路４８が垂直方向を向いて設けられているとともに、上桟２６ｂの面材２６ａ側の壁側にも同様な通気路４９が垂直方向を向いて設けられている。そして、この通気路４９と連通する通気路５１が桁３２にその外側に開放して水平方向を向いて設けられている。したがって、これら各部材に連続して連通可能に設けられた通気溝４，５と通気路３６，３７，３８，３９，４０，４１，４３，４５，４６，４７，４８，４９，５１を通じて外気を床下に取り入れ、かつ取り入れた外気を土台２下から壁沿いに伝って桁３２の上の天井裏まで通気することが可能となり、１階壁パネル１２内は勿論、２階壁パネル２６内でも除湿の効果が大きいものとすることができる。
【００２１】
床側部材１０と胴差側部材２２の一例としては、図６（Ａ），（Ｂ）に示すようなものであり、その長さは図１からわかるように壁パネル１２，２６の２連分にしている。ただ、これは一例であって、適宜その長さは設定することができる。また、床側部材１０と胴差側部材２２に設けられる通気路３８，３９，４０，４５，４６，４７も、任意の数、それも所定の間隔で設けたり、あるいは無くしたり種々の変更が可能である。このような部材を用いると増改築のときにプラン変更があっても可能な範囲で対応することができる。
【００２２】
すなわち、例えば図７に示すように新築時にランマ壁パネル５５と腰壁パネル５６の間に形成した中連開口の窓（腰高窓）５７を増改築のときに、それまでの腰高窓からその下方の腰壁パネル５６を開放して図８に示すような掃き出し開口の窓（掃き出し窓）５８にするプラン変更を希望する場合がある。このような場合でも腰高窓のときの通気路を形成していた床側部材１０と胴差側部材２２を凹所９，２１から取り外し、別途用意した通気路の無い床側部材１０’と、胴差側部材２２’を新たに凹所９，２１に取り付けることにより、簡単に取り替えることができる。胴差側部材２２’は１階の上部にランマ壁パネル５５が設けられているため、該パネルの通気路４３と連通する通気路のみ設けられている。勿論、前記とは逆に掃き出し窓５８を腰高窓５７に変更する場合でも、通気路の無い床側部材１０’と、胴差側部材２２’を通気路の有る床側部材１０と胴差側部材２２に簡単に取り替えることができる。しかも、この場合には腰高窓の形態によっては別途用意する種々の通気路の有る床側部材と胴差側部材を選定することができる。なお、図７，８で６０はランマ受け材、６１は隅材である。
【００２３】
本実施の形態では２階建ての建物を例にしたが、必要により３階建て以上の建物についても床パネルと胴差側部材、壁パネルの連結を繰り返すことによって同様に建て上げることができる。また、本実施の形態では１階床パネル６を土台２の上面中間部に、２階床パネル１８を１階壁パネル１２の上面中間部に位置するように載せ、それぞれその外側に形成される凹所９，２１に床側部材１０，胴差側部材２２を埋めるように配置したが、このような床側部材と胴差側部材の配置を止めて土台２や１階壁パネル１２の上面全面にわたり載せるような建て方でもよい。また、本実施の形態は、あくまで好ましい一例を示したにすぎず、構成各部材の細部の設計的な事項は、その実施に際して種々に変更、修正することができるものである。
【図面の簡単な説明】
【００２４】
【図１】この発明の一実施の形態に係る、基礎上から桁までの壁に沿った木質系建物の一部分を示す正面図である。
【図２】図１のＡ−Ａ線に沿う高さ方向の長さを一部省略した拡大縦断側面図である。
【図３】図１のＢ部の拡大概略斜視図である。
【図４】図１のＣ部の拡大概略斜視図である。
【図５】図１のＤ部の拡大概略斜視図である。
【図６】（Ａ）は床側部材、（Ｂ）は胴差側部材のそれぞれ一例を示す図面である。
【図７】プラン変更前の建物の一部分を示す正面図である。
【図８】プラン変更後の建物の一部分を示す正面図である。
【符号の説明】
【００２５】
１  基礎
２  土台
３  換気パッキン
６  １階床パネル
７，１３，１４，１９，２３，２７，２８，３３  ドリフトピン穴
８，１５，１６，２０，２４，２９，３０，３４，７６，７７  ドリフトピン
９，２１  凹所
１０  床側部材（第１埋入部材）
１２  １階壁パネル
１８  ２階床パネル
２２  胴差側部材（第２埋入部材）
３２  桁
【図１】
0004994984.tif 000002
【図２】
0004994984.tif 000003
【図３】
0004994984.tif 000004
【図４】
0004994984.tif 000005
【図５】
0004994984.tif 000006
【図６】
0004994984.tif 000007
【図７】
0004994984.tif 000008
【図８】
0004994984.tif 000009